(57)【要約】【課題】  小型化が可能でかつ正確に電力量を計測できる光電力計測システムを提供すること。【解決手段】  光電力計測システムは、ポッケルス効果とファラデー効果を利用して電力を計測できる。光電力計測システム１は、ポッケルス効果とファラデー効果を有する単一の結晶セル３１に電圧を印加するとともに電流値に応じた磁界を加え、かつ、結晶セル３１に所定の光を与え、結晶セル３１からの前記電力に応じた変調成分を含む光を得て、当該光から電力に応じた電気信号を得る電力センサー３と、電力センサー３からの電気信号を基に電力量として計測可能とする信号処理装置５とから構成されている。【選択図】        図１
2005147832.tif 000002
【特許請求の範囲】
【請求項１】
ポッケルス効果とファラデー効果を利用して電力情報を得る電力センサーであって、
ポッケルス効果とファラデー効果を有する単一の結晶セルに電圧を印加するとともに電流値に応じた磁界を加え、かつ、前記結晶セルに所定の光を与え、前記結晶セルからの前記に応じた変調成分を含む光を得て、当該光からに応じた電気信号を得る構造を備えたことを特徴とする電力センサー。
【請求項２】
所定の材料で構成された同一結晶内でポッケルス効果とファラデー効果を呈するに結晶セルに電極を配置し、前記結晶セルの外周に電流値に応じた磁界を与えるためのコイルを配置してなる電気光学手段と、所定の光を出力する光源と、前記光源からの光を通して前記結晶セルに与える１／４波長板と、前記結晶セルからの光を透過する検光子と、前記検光子からの光を電気信号に変換する光電変換素子とを備え、前記光源からの光を前記１／４波長板を通して前記電気光学手段に供給し、前記前記電気光学手段からの光を検光子を介して光電変換素子で受光し電気信号に変換できるようにしたことを特徴とする請求項１記載の電力センサー。
【請求項３】
ポッケルス効果とファラデー効果を利用して電力を計測できる光電力計測システムであって、
ポッケルス効果とファラデー効果を有する単一の結晶セルに電圧を印加するとともに電流値に応じた磁界を加え、かつ、前記結晶セルに所定の光を与え、前記結晶セルからの前記に応じた変調成分を含む光を得て、当該光からに応じた電気信号を得る電力センサーと、
前記電力センサーからの電気信号を基にとして計測可能とする信号処理装置と
を備えたことを特徴とする光電力計測システム。
【請求項４】
前記電力センサーは、所定の材料で構成された同一結晶内でポッケルス効果とファラデー効果を呈するに結晶セルに電極を配置し、前記結晶セルの外周に電流値に応じた磁界を与えるためのコイルを配置してなる電気光学手段と、所定の光を出力する光源と、前記光源からの光を通して前記結晶セルに与える１／４波長板と、前記結晶セルからの光を透過する検光子と、前記検光子からの光を電気信号に変換する光電変換素子とを備え、前記光源からの光を前記１／４波長板を通して前記電気光学手段に供給し、前記前記電気光学手段からの光を検光子を介して光電変換素子で受光し電気信号に変換できるようにしたことを特徴とする請求項３記載の光電力計測システム。
【請求項５】
前記信号処理装置は、前記電力光学変換センサーからの光を取込み光に含まれる情報を電気信号に変換する光電センサーと、前記光電センサーからの電気信号を周波数に変換することによりデジタル信号処理可能とするデジタル処理回路とを備えたことを特徴とする請求項１記載の光電力計測システム。
【請求項６】
前記電気光学手段に用いられる結晶セルは、水晶、ＢＳＯまたはＺｎＳｅであることを特徴とする請求項２または４記載の光電力計測システム。
【請求項７】
前記光源は、レーザー光を出力できるレーザー手段であることを特徴とする請求項２または４記載の光電力計測システム。
【発明の詳細な説明】
【技術分野】
【０００１】
本発明は、ポッケルス効果とファラデー効果を有する結晶セルに電圧を印加するととに電流値に応じた磁界を加え、かつ、前記結晶セルに所定の光を与え、前記結晶セルからの前記に応じた光の変調成分を検出して電力を計測できるようにした電力センサーおよび光電力計測システムに関するものである。
【背景技術】
【０００２】
この種の光電力計測システムは、被測定電圧に応じた電界を印加されるポッケルスセルと、被測定電流に応じた磁界を与えるファラデーセルと、１／４波長板と、これら素子に偏光子を介して直線偏光を与える光源と、これらの素子のからの変調光を二分するビームスプリッタと、二つの成分に分解された光を電気信号に変換する光電変換素子とを備え、前記光電気変換素子からの電気信号の差から電力を測定できる装置として提案されている（例えば、特許文献１参照）。
【０００３】
この従来の光電力計測システムでは、被測定電圧に応じた電界がポッケルスセルに印加され、また、被測定電流に応じた磁界がファラデーセルに供給される。また、前記ポッケルスセルおよびファラデーセルに光源から偏光子を介して直線偏光が供給される。前記ポッケルスセルおよびファラデーセルを通過した光は、ビームスプリッタで２つに分けられて、二つの光電気変換素子にそれぞれ与えられる。二つの光電気変換素子からの電気信号は、信号処理回路で差分がとられ、その差の情報を基に電力を測定することができる。
【特許文献１】特開２００３−２７９６０５号公報（明細書および図面）。
【発明の開示】
【発明が解決しようとする課題】
【０００４】
しかしなから、従来の光電力計測システムによれば、ポッケルスセルとファラデーセルという二つのセルを用意する必要があるほか、光路を二分しかつ二つの光電変換素子を必要とするなど、素子が占める空間が大きく、しかも、装置構成も複雑になるという欠点があった。
また、従来の光電力計測システムによれば、電力を測定するために二つの電気信号が必要になるほか、電力を算出するためにアナログ的に処理を行う必要があり、正確な電力を得ることができないという欠点があった。
本発明は、上述した欠点を解消し、小型化が可能でかつ正確に電力を検出できる電力センサーおよびその計測できる光電力計測システムを提供することを目的とする。
【課題を解決するための手段】
【０００５】
上記目的を達成するため、本願請求項１の発明に係る電力センサーは、ポッケルス効果とファラデー効果を利用して電力情報を得る電力センサーであって、
ポッケルス効果とファラデー効果を有する単一の結晶セルに電圧を印加するとともに電流値に応じた磁界を加え、かつ、前記結晶セルに所定の光を与え、前記結晶セルからの前記に応じた変調成分を含む光を得て、当該光からに応じた電気信号を得る構造を備えたことを特徴とするものである。
【０００６】
本願請求項２の発明では、本願請求項１の光電力計測システムにおいて、所定の材料で構成された同一結晶内でポッケルス効果とファラデー効果を呈するに結晶セルに電極を配置し、前記結晶セルの外周に電流値に応じた磁界を与えるためのコイルを配置してなる電気光学手段と、所定の光を出力する光源と、前記光源からの光を通して前記結晶セルに与える１／４波長板と、前記結晶セルからの光を透過する検光子と、前記検光子からの光を電気信号に変換する光電変換素子とを備え、前記光源からの光を前記１／４波長板を通して前記電気光学手段に供給し、前記前記電気光学手段からの光を検光子を介して光電変換素子で受光し電気信号に変換できるようにしたことを特徴とするものである。
上記目的を達成するため、本願請求項３の発明に係る光電力計測システムは、ポッケルス効果とファラデー効果を利用して電力を計測できる光電力計測システムであって、ポッケルス効果とファラデー効果を有する単一の結晶セルに電圧を印加するとともに電流値に応じた磁界を加え、かつ、前記結晶セルに所定の光を与え、前記結晶セルからの前記に応じた変調成分を含む光を得て、当該光からに応じた電気信号を得る電力センサーと、前記電力センサーからの電気信号を基に電力量として計測可能とする信号処理装置と、を備えたことを特徴とするものである。
【０００７】
本願請求項４の発明では、本願請求項３に係る光電力計測システムにおいて、前記電力センサーは、所定の材料で構成された同一結晶内でポッケルス効果とファラデー効果を呈するに結晶セルに電極を配置し、前記結晶セルの外周に電流値に応じた磁界を与えるためのコイルを配置してなる電気光学手段と、所定の光を出力する光源と、前記光源からの光を通して前記結晶セルに与える１／４波長板と、前記結晶セルからの光を透過する検光子と、前記検光子からの光を電気信号に変換する光電変換素子とを備え、前記光源からの光を前記１／４波長板を通して前記電気光学手段に供給し、前記前記電気光学手段からの光を検光子を介して光電変換素子で受光し電気信号に変換できるようにしたことを特徴とするものである。
【０００８】
本願請求項５に係る発明では、本願請求項１に係る光電力計測システムにおいて、前記信号処理装置は、前記電力光学変換センサーからの光を取込み光に含まれる情報を電気信号に変換する光電センサーと、前記光電センサーからの電気信号を周波数に変換することによりデジタル信号処理可能とするデジタル処理回路とを備えたことを特徴とするものである。
【０００９】
本願請求項６に係る発明では、本願請求項２または４に係る光電力計測システムにおいて、前記電気光学手段に用いられる結晶セルは、水晶、ＢＳＯまたはＺｎＳｅであることを特徴とするものである。
【００１０】
本願請求項７に係る発明では、本願請求項２または４に係る光電力計測システムにおいて、前記光源は、レーザー光を出力できるレーザー手段であることを特徴とする。
【発明の効果】
【００１１】
本願各請求項に係る発明の電力センサーによれば、同一セル内でポッケルス効果とファラデー効果を起こさせることができ、かつ、同一セルからの光を光電変換素子で電気信号に変換して電力を含む電気信号として提供できるので、素子が占める空間を小さくでき、しかも、確実に電力に関する情報を得ることができる。
本願各請求項の発明に係る光電力計測システムによれば、同一セル内でポッケルス効果とファラデー効果を起こさせることができ、かつ、同一セルからの光をそのままデジタル化して電力量として計数できるようにしたので、素子が占める空間を小さくでき、しかも、同一セルからの光を分解することなく直ちに信号処理をすることができるので、簡単な装置構成にすることができる。
また、本願各請求項の発明に係る光電力計測システムによれば、電力光学変換素子からの光を直接デジタル化信号処理を行うため、正確な電力量を得ることができる。
【発明を実施するための最良の形態】
【００１２】
以下、本発明を実施するための最良の形態について図面に基づいて説明する。
図１ないし図５は本発明を実施するための最良の形態に係る光電力計測システムを説明するための図である。
図１は、本発明を実施するための最良の形態に係る光電力計測システムの全体構成を示すブロック図である。この図１において、本発明を実施するための最良の形態に係る光電力計測システム１は、ポッケルス効果とファラデー効果を利用して電力を計測できるシステムである。この光電力計測システム１は、ポッケルス効果とファラデー効果を有する単一の結晶セルに電圧を印加するとともに電流値に応じた磁界を加え、かつ、前記結晶セルに所定の光を与え、前記結晶セルからの前記に応じた変調成分を含む光を得て、当該光からに応じた電気信号を得る電力センサー３と、前記電力センサー３からの電気信号を基に電力量として計測可能とする信号処理装置５とを備えたものである。
【００１３】
前記電力センサー３は、所定の材料で構成された同一結晶内でポッケルス効果とファラデー効果を呈する結晶セル３１に電極３２ａ，３２ｂを対向配置し、前記結晶セル３１の外周に電流値に応じた磁界を与えるためのコイル３３を配置してなる電気光学手段３０と、所定の光を出力する光源３４と、前記光源３４からの光を直線偏光する偏光子３５と、前記偏光子３５からの直線偏光を透過して前記結晶セル３１に与える１／４波長板３６と、前記電気光学手段３０の結晶セル３１からの光を通過させる検光子３７と、前記検光子３７からの光をの情報を含んだ電気信号に変換する光電変換素子３８とを備えたものである。
【００１４】
ここで、前記所定の材料で構成された同一結晶内でポッケルス効果とファラデー効果を呈する結晶セル３１は、ポッケルス効果とファラデー効果を持ち、自然複屈折の温度依存性を無くすために等方性、あるいは一軸性であることが必要である。また、前記結晶セル３１は、旋光性の無いことが望ましい。さらに、  前記結晶セル３１は、水晶、ＢＳＯ（Ｂｉ12ＳｉＯ20；ケイ酸ビスマス）、ＺｎＳｅ（セレン化亜鉛）からなる結晶体で構成したものである。これらの結晶からなる結晶セル３１は、通過方向にｎ分割した微小区間において、ファラデー効果および旋光性による偏光面の回転と、ポッケルス効果による偏光面の変形が独立に起こるとみなしている。前記結晶セル３１のジョースン行列Ａｎは、次の数式１で得ることができる。
【００１５】
【数１】
2005147832.tif 000003
なお、数式１において用いられるα，βおよびΔは次の数式２で与えられる。
【００１６】
【数２】
2005147832.tif 000004
ここで、φは微小区間におけるポッケルス効果による位相差、θは微小区間におけるファラデー効果による回転角と旋光性による回転角の合計の回転角である。数式１より、前記偏光子３５が０〔度〕、前記１／４波長板３６が４５〔度〕、前記検光子３７が０〔度〕としたときの変調率Ｍは次の数式３のようになる。
【００１７】
【数３】
2005147832.tif 000005
この数式３からわかるように、前記電気光学手段３０を備えた電力センサー３は、負荷９で消費される電力に対して線型性を保った状態の信号を得ることができる。
【００１８】
前記光源３４は、コヒーレント光を供給できるものが望ましく、例えばレーザーダイオードやその他のレーザー装置を使用することが好適である。
前記光電変換素子３８は、例えばフォトダイオード（ＰＤ）を使用することが好ましいが、これに限定されることなく、前記電力光学変換センサー３から出力された光が有している情報を効率よく電気信号に変換できる素子（例えばフォトトランジスタなど）であればどのようなものであってもよい。
また、前記信号処理装置５は、後の詳述するが、前記電力センサー３からの電力に関する情報が含まれる電気信号を周波数に変換し、当該周波数の情報をデジタル化することによりデジタル信号処理可能としたものである。
なお、前記電気光学手段３０の結晶セル３１において、電極３２ａ，３２ｂには負荷に供給されている電圧が印加され、かつ、コイル３３には前記負荷に供給されている電流が流れるように構成されている。
【００１９】
図２は、本発明を実施するための最良の形態に係る光電力計測システムの全体構成のうち特に信号処理装置を示したブロック図である。
この図２において、前記電力センサー３は、図１に示したものと同様に構成されている。また、前記電気光学手段３０の結晶セル３１の電極３２ａ，３２ｂには、図２に示すように、負荷９に供給されている電圧がそれぞれ印加されている。同様に、前記結晶セル３１の周囲に配置されたコイル３３には、前記負荷９に供給されている電流が流れるように接続されており、前記結晶セル３１に電流値に応じた磁界を与えられるようになっている。
【００２０】
前記信号処理装置５は、前記電力センサー３の光電変換素子３８からの電気信号を全波整流する全波整流器５１と、前記全波整流器５１からの出力信号を平滑する平滑回路５２と、前記平滑回路５２からの出力電圧を電圧に応じた周波数に変換する電圧周波数変換器（Ｖ／Ｆ変換器）５３と、前記Ｖ／Ｆ変換器５３からの周波数信号をデジタル信号として分周する分周器５４と、前記分周器５４からの出力信号を加算する加算器５５と、前記加算器５５の加算結果をデジタル表示するデジタル表示器５６とを備えている。なお、前記信号処理装置５は、実際に光電力計測システムとして提供するときに、デジタル表示器５６までを一つの装置として構成するものとして説明したが、例えば市販のデジタルカウンタなどを使用すれば、分周器５４、加算器５５およびデジタル表示器５６を省くこともできる。
【００２１】
図３は、本発明を実施するための最良の形態に係る光電力計測システムの全体構成のうち特に信号処理装置の全波整流器および平滑回路を詳細に示す回路図である。なお、図３では、前記電力センサー３の光電変換素子３８部分の回路も含んでいる。
まず、電力センサー３の光電変換素子（ＰＤ）３８の部分の回路は、光電変換素子（ＰＤ）３８は、そのアノードをマイナス１５〔Ｖ〕に、そのカソードを抵抗Ｒ１、可変抵抗ＶＲ１の直列回路を介してプラス１５〔Ｖ〕に、それぞれ接続されている。また、当該光電変換素子（ＰＤ）３８の近くのプラス１５〔Ｖ〕側は、コンデンサＣ１、Ｃ２を介してアースされている。また、当該光電変換素子（ＰＤ）３８の近くのマイナス１５〔Ｖ〕側は、コンデンサＣ３、Ｃ４を介してアースされている。これらコンデンサＣ１〜Ｃ４により、ノイズの影響を削除できるようになっている。また、この回路により、当該光電変換素子（ＰＤ）３８の検出電流が電圧に変換できるようになっている。
また、図２では記載しなかったが、前記光電変換素子（ＰＤ）３８の電圧出力が小さいため、プリアンプを設けている。プリアンプは、演算増幅器ＯＰ１、ＯＰ２と、抵抗Ｒ１０〜Ｒ１６と、コンデンサＣ１０，Ｃ１１と、可変抵抗ＶＲ１１，ＶＲ１２とで構成されている。このプリアンプで所定のレベルに増幅された信号は、次段の全波整流器５１に供給される。
【００２２】
前記全波整流器５１は、演算増幅器ＯＰ３，ＯＰ４と、抵抗Ｒ１７〜Ｒ２０と、コンデンサＣ１２，Ｃ１３とから構成されており、コンデンサＣ１２を介して入力された交流信号を全波整流できる。
前記平滑回路５２は、演算増幅器ＯＰ４，ＯＰ５と、抵抗Ｒ２２〜Ｒ２４と、コンデンサＣ１４，Ｃ１５とから構成されており、演算増幅器ＯＰ４から入力された全波整流された信号を平滑して直流電圧に変換する。
図４は、本発明を実施するための最良の形態にかかる光電力計測システムの全体構成のうち、とくに信号処理装置のＶ／Ｆ変換器、分周器及び加算器を詳細に示す回路図である。
前記Ｖ／Ｆ変換器５３は、演算増幅器ＯＰ６，ＯＰ７と、抵抗Ｒ３０〜Ｒ３３と、コンデンサＣ３０，Ｃ３１と、単安定マルチバイブレータＭＶと、トランジスタＴＲと、電流源Ｉｏとから構成されている。前記演算増幅器ＯＰ６に入力された電圧に対して前記トランジスタＴＲのコレクタから電圧に比例した周波数が出力されるようになっている。
前記分周器５４はマルチバイブレータＱ１〜Ｑ１０と、インバータ回路Ｑ１１とを備え、前記マルチバイブレータＱ１〜Ｑ１０を１０個直列接続し、前記Ｖ／Ｆ変換器５３からの周波数を所定の分周比で分周して出力する。なお、インバータ回路Ｑ１１の出力端子は、前記マルチバイブレータＱ１〜Ｑ１０のリセット端子に接続されており、前記マルチバイブレータＱ１〜Ｑ１０を一斉にリセットできるようになっている。
前記加算器５５は、マルチバイブレータＱ２１〜Ｑ２４と、アンド回路Ｑ２５〜Ｑ２８と、ノア回路Ｑ２９と、インバータ回路３０とを備えている。これらマルチバイブレータＱ２１〜Ｑ２４と、アンド回路Ｑ２５〜Ｑ２８と、ノア回路Ｑ２９と、インバータ回路３０とにより、各出力端子から数字表示用の計数データが出力される。なお、この図では、一桁の加算器を示しているが、必要に応じて桁数を増加させればよい。
【００２３】
このような光電力計測システムの作用について以下に説明する。図５は、本発明を実施するための最良の形態に係る光電力計測システムにおいて前記電力センサーの電力検出特性を示す特性図であって、横軸に電力〔ｋＶ−ＡＴ〕を、縦軸に検出電圧〔ｍＶ〕を、それぞれとったものである。
【００２４】
前記電力センサー３では、次のように電力を検出する。すなわち、前記電気光学手段３０の結晶セル３１の電極３２ａ，３２ｂには、図２に示すように負荷９の電圧を印加する。また、前記電気光学手段３０の結晶セル３１の外周に捲回されているコイル３３に、図２に示すように負荷９に流れる電流を流す。これにより、コイル３３から電流の大きさに応じた磁界が前記電気光学手段３０の結晶セル３１に供給される。
また、前記電気光学手段３０の結晶セル３１には、前記光源３４から前記偏光子３５、１／４波長板３６を介して光が供給される。また、前記結晶セル３１を通過した光は、検光子３７を介して光電変換素子（ＰＤ）３８に供給される。なお、前記結晶セル３１は、ファラデー効果による偏光面の回転、および、ポッケルス効果による屈折率が光学的に独立なパラメータであるので、その双方を印加電気量のときに変調分ゼロに設定しておくことにより、結晶セル３１から出力される光は、電圧×電流の変化に比例して光強度変調される。
この光電変換素子（ＰＤ）３８は前記光の情報に応じた出力電気信号（電流）を出力する。この光電変換素子（ＰＤ）３８の出力は、抵抗Ｒ１、可変抵抗ＶＲ１の直列回路を介して電圧信号に変換される。
そして、前記電気光学手段３０で検出される電力に対して前記光電変換素子（ＰＤ）３８から得られる電圧は、図５に示すように、前記電気光学手段３０で検出された電力に対して線型（比例した状態）になっている。
この検出信号は、前記演算増幅器ＯＰ１，ＯＰ２のプリアンプで増幅されて、全波整流器５１に供給される。前記検出信号は、前記全波整流器５１で全波整流がされる。前記全波整流器５１からの出力信号は平滑回路５２で平滑された後に、前記Ｖ／Ｆ変換器５３に供給される。前記Ｖ／Ｆ変換器５３では、入力された電圧に比例した周波数の信号を出力する。
前記Ｖ／Ｆ変換器５３からの周波数は、分周器５４で所定の分周比で分周された後に、前記加算器５５で加算される。前記加算器５５で加算された結果は、デジタル表示器５６で表示される。
【００２５】
上述したような構造の電力センサーによれば、同一セル内でポッケルス効果とファラデー効果を起こさせることができ、かつ、同一セルからの光を光電変換素子で電気信号に変換してを含む電気信号として提供できるので、素子が占める空間を小さくでき、しかも、確実にに関する情報を得ることができる。
また、上述した構成をした光電力計測システムによれば、同一セル内でポッケルス効果とファラデー効果を起こさせることができ、かつ、同一セルからの光をそのままデジタル化して電力量として計数できるようにしたので、素子が占める空間を小さくでき、しかも、同一セルからの光を分解することなく直ちに信号処理をすることができるので、簡単な装置構成にすることができる。
さらに、上述した構成をした光電力計測システムによれば、電力光学変換素子からの光を直接デジタル化信号処理を行うため、正確な電力量を得ることができる。現在、精度は普通０．５〔％〕程度であるが、本発明のようにすることにより著しく精度を向上させることができる。
【実施例１】
【００２６】
なお、前記結晶セル３１に「水晶」を用いる場合には、次のような仕様のものを使用した。
〔水晶の仕様〕
一軸性結晶、旋光性あり。
Point group 32
Size: 3.0 x 3.0 x 20.0 mm(x-y-z)
Both " x " surfaces Cr/Au electroded
Both " z " surfaces optically polished
Flatness: Lambda@633nm
【実施例２】
【００２７】
また、前記結晶セル３１に「ＺｎＳｅ」を用いる場合には、次のような仕様のものを使用した。
〔ＺｎＳｅの仕様〕
等方性結晶、旋光性なし。
Point group 43m
Size: 3.0 x 3.0 x 30.0 mm(x-y'-z')
Both " x " surfaces Cr/Au electroded
Both " z' " surfaces optically polished
Flatness: Lambda/2@633nm
*y'、z'はｙ−ｚ平面上でｙ、ｚ軸とそれぞれ４５°をなす方向である。
【実施例３】
【００２８】
また、前記結晶セル３１に「ＢＳＯ」を用いる場合には、次のような仕様のものを使用した。
〔ＢＳＯの仕様〕
等方性結晶、旋光性あり。
Point group 23
Size: 3.0 x 3.0 x 32.7 mm(x-y'-z')
Both " x " surfaces Cr/Au electroded
Both " z' " surfaces optically polished
Flatness: Lambda/2@633nm
*y'、z'はｙ−ｚ平面上でｙ、ｚ軸とそれぞれ４５°をなす方向である。
【図面の簡単な説明】
【００２９】
【図１】図１は、本発明を実施するための最良の形態に係る光電力計測システムの全体構成を示すブロック図である。
【図２】本発明を実施するための最良の形態に係る光電力計測システムの全体構成のうち特に信号処理装置を示したブロック図である。
【図３】本発明を実施するための最良の形態に係る光電力計測システムの全体構成のうち特に信号処理装置の全波整流器および平滑回路を詳細に示す回路図である。
【図４】本発明を実施するための最良の形態にかかる光電力計測システムの全体構成のうち、とくに信号処理装置のＶ／Ｆ変換器、分周器及び加算器を詳細に示す回路図である。
【図５】本発明を実施するための最良の形態に係る光電力計測システムにおいて前記電力センサーの電力検出特性を示す特性図である。
【符号の説明】
【００３０】
１  光電力計測システム
３  電力センサー
５ 信号処理装置
３０  電気光学手段
３１  結晶セル
３２ａ，３２ｂ  電極
３３  コイル
３４  光源
３５  偏光子
３６  １／４波長板
３７  検光子
３８  光電変換素子（ＰＤ）
５１  全波整流器
５２  平滑回路
５３  Ｖ／Ｆ変換器
５４  分周器
５５  加算器
５６  デジタル表示器
【図１】
2005147832.tif 000006
【図２】
2005147832.tif 000007
【図３】
2005147832.tif 000008
【図４】
2005147832.tif 000009
【図５】
2005147832.tif 000010